(57)【要約】【課題】標準の規格に準拠した接続端子の接続を規制できるようにした接続端子を提供する。【解決手段】接続端子１Ａは、ソケット２Ａとプラグ３Ａを備える。プラグ３Ａは、ソケット２Ａに備えられ、標準の規格に準拠したプラグの挿入を規制するソケット側接続鍵部材２２Ａに合致する凹凸形状を有したプラグ側接続鍵部３２Ａと、標準の規格に準拠したソケットへの挿入を規制するプラグ側接続規制部３３Ａを備えることで、標準の規格に準拠したソケットには接続できず、対応するソケット２Ａにのみ接続を可能とする。【選択図】  図１
2011159587.tif 000002
【特許請求の範囲】
【請求項１】
装置側接続端子に接続される機器側接続端子を備え、
前記機器側接続端子は、前記装置側接続端子に備えられ、標準の規格に準拠した機器側接続端子の挿入を規制する装置側接続鍵部に合致する機器側接続鍵部と、標準の規格に準拠した装置側接続端子への挿入を規制する機器側接続規制部を備えた
ことを特徴とする接続端子。
【請求項２】
前記機器側接続端子は、中空形状の枠部と、前記枠部の内側に設けられる電極支持部材を備え、
前記機器側接続規制部は、前記枠部の内側に突出する凸部を設けて構成される
ことを特徴とする請求項１記載の接続端子。
【請求項３】
前記機器側接続端子は、前記機器側接続規制部と前記機器側接続鍵部が一体に構成される
ことを特徴とする請求項２記載の接続端子。
【請求項４】
情報処理装置に設けられた装置側接続端子に接続される機器側接続端子を備え、
前記機器側接続端子は、前記装置側接続端子の装置側接続鍵部に合致する機器側接続鍵部と、標準の規格に準拠した装置側接続端子への挿入を規制する機器側接続規制部を備えた
ことを特徴とする電子機器。
【請求項５】
前記機器側接続端子の前記機器側接続鍵部に合致する装置側接続鍵部を有した装置側接続端子と、前記装置側接続端子と電気的に接続され、標準の規格に準拠した機器側接続端子を有した変換接続端子を介して、標準の規格に準拠した装置側接続端子を有した情報処理装置に接続可能とした
ことを特徴とする請求項４記載の電子機器。
【発明の詳細な説明】
【技術分野】
【０００１】
本発明は、情報処理装置と周辺機器を着脱可能に接続する接続端子、及び、接続端子を備えた電子機器に関する。
【背景技術】
【０００２】
コンピュータに周辺機器を接続する規格として、ＵＳＢ(Universal Serial Bus)があり、ＵＳＢ規格に準拠した接続端子を備えた記憶デバイスとして、ＵＳＢメモリが知られている。
【０００３】
図１２は、ＵＳＢメモリに備えられる従来の接続端子の一例を示す構成図、図１３は、従来の接続端子の使用例を示す動作説明図である。
【０００４】
従来の接続端子１０１は、図１２（ａ）に示すソケット１０２と、図１２（ｂ）に示すプラグ１０３を備える。ソケット１０２は、例えば、パーソナルコンピュータ等の情報処理装置に備えられる。プラグ１０３は、情報処理装置に対して着脱可能な電子機器であるＵＳＢメモリに備えられる。
【０００５】
ソケット１０２は、断面の形が略長方形で角筒形状の枠部１２０と、枠部１２０の内側に設けられるソケット側電極支持部材１２１と、枠部１２０の内側に形成されるソケット側電極挿入空間１２２を備える。
【０００６】
枠部１２０は金属材料で構成され、長片側の対向する２面と短辺側の対向する２面に、プラグ１０３を支持するバネ１２３が、弾性変形可能な構成で内側に向けて突出形成される。ソケット側電極支持部材１２１は、プラスチック等の非導電性の樹脂材料で構成され、一の面にＵＳＢ規格に準拠した端子１２４が形成される。
【０００７】
プラグ１０３は、角筒形状の枠部１３０と、枠部１３０の内側に設けられるプラグ側電極支持部材１３１と、枠部１３０の内側に形成されるプラグ側電極挿入空間１３２を備える。
【０００８】
枠部１３０は金属材料で構成される。プラグ側電極支持部材１３１は、プラスチック等の非導電性の樹脂材料で構成され、一の面にＵＳＢ規格に準拠した端子１３３が形成される。
【０００９】
従来の接続端子１０１では、ソケット１０２にプラグ１０３が挿入されると、図１３に示すように、プラグ１０３のプラグ側電極支持部材１３１がソケット１０２のソケット側電極挿入空間１２２に挿入され、ソケット１０２のソケット側電極支持部材１２１がプラグ１０３のプラグ側電極挿入空間１３２に挿入される。
【００１０】
そして、プラグ側電極支持部材１３１の端子１３３とソケット側電極支持部材１２１の端子１２４が接触して、プラグ１０３とソケット１０２が電気的に接続される。よって、電子機器がＵＳＢメモリであれば、データの読み取りや書き込みが可能な状態となる。
【００１１】
ＵＳＢメモリは、小型で且つ記憶容量が大きく、更に、コンピュータにドライバをインストールしなくてもデータの読み取りや書き込みができることから、非常に利便性が高い記憶デバイスである。
【００１２】
しかし、近年、個人所有のＵＳＢメモリを会社等のコンピュータに接続し、データを保存した後、このＵＳＢメモリを自宅のコンピュータに接続して使用する際に、情報漏えいが発生するという問題が多く発生している。また、個人所有のＵＳＢメモリから会社等のコンピュータにウイルスが侵入する等、セキュリティ上の問題となっている。
【００１３】
このため、接続端子を収納可能に構成すると共に、接続端子を収納状態でロックする機構を備えたＵＳＢメモリが提案されている（例えば、特許文献１参照）。また、接続端子を収納状態でロックする施錠機構に、固有のパスワード構造を備えたＵＳＢメモリが提案されている（例えば、特許文献２参照）。更に、接続端子を収納状態でロックする施錠機構に、暗証番号が合致すると解錠する構造を備えたＵＳＢメモリが提案されている（例えば、特許文献３参照）。
【００１４】
これに対し、ＵＳＢメモリが接続される側で接続を規制する構造も提案され、ＵＳＢメモリが接続される側の接続端子に、ＵＳＢメモリの接続を規制する接続規制構造を備えると共に、ＵＳＢメモリ側の接続端子に、接続規制構造を収納する収納構造を備える技術が提案されている（例えば、特許文献４参照）。また、ＵＳＢメモリが接続される側の接続端子に、ＵＳＢメモリの接続を規制する接続規制構造を備え、接続規制構造を着脱可能とした技術が提案されている（例えば、特許文献５参照）。
【先行技術文献】
【特許文献】
【００１５】
【特許文献１】実用新案登録第３１０６５２９号公報
【特許文献２】実用新案登録第３１２１１３６号公報
【特許文献３】実用新案登録第３１３３１２２号公報
【特許文献４】特開２００７−２２０６７７号公報
【特許文献５】特開２００７−６６６７８号公報
【発明の概要】
【発明が解決しようとする課題】
【００１６】
しかし、ＵＳＢメモリ側の接続端子を収納可能に構成すると共に、接続端子を収納状態でロックする機構を備えた特許文献１〜特許文献３に記載の技術では、ＵＳＢメモリを正規に使用する場合に、施錠及び施錠の解除が必要で利便性が悪い。また、暗証番号、あるいは機構的な鍵を設けて施錠を行えるようにすると、暗証番号を忘れたり鍵を紛失すると、ＵＳＢメモリの使用ができなくなる。一方、暗証番号が漏洩したり、鍵が第三者に利用されると、セキュリティが大幅に低下する。
【００１７】
ＵＳＢメモリが接続される側で接続を規制する特許文献４に記載の技術では、接続規制構造を収納する収納構造を備えたＵＳＢメモリが、通常の接続端子に接続できるので、ＵＳＢメモリに保存されたデータの情報漏えいを防ぐことができない。また、接続規制構造を着脱可能とした特許文献５に記載の技術では、故意に接続規制構造を取り外して通常のＵＳＢメモリを接続することができるので、データの情報漏えいを防ぐことができない。
【００１８】
本発明は、このような課題を解決するためになされたもので、標準の規格に準拠した接続端子の接続を規制できるようにした接続端子、及びこの接続端子を備えた電子機器を提供することを目的とする。
【課題を解決するための手段】
【００１９】
上述した課題を解決するため、本発明は、装置側接続端子に接続される機器側接続端子を備え、機器側接続端子は、装置側接続端子に備えられ、標準の規格に準拠した機器側接続端子の挿入を規制する装置側接続鍵部に合致する機器側接続鍵部と、標準の規格に準拠した装置側接続端子への挿入を規制する機器側接続規制部を備えた接続端子である。
【００２０】
また、本発明は、情報処理装置に設けられた装置側接続端子に接続される機器側接続端子を備え、機器側接続端子は、装置側接続端子の装置側接続鍵部に合致する機器側接続鍵部と、標準の規格に準拠した装置側接続端子への挿入を規制する機器側接続規制部を備えた電子機器である。
【００２１】
本発明では、装置側接続端子に備えられた装置側接続鍵部と形状が合致する機器側接続鍵部を備えた機器側接続端子が、装置側接続端子に接続可能であり、標準の規格に準拠した装置側接続端子への機器側接続端子の接続は、機器側接続規制部により規制されることで、機器側接続端子は標準の規格に準拠した装置側接続端子に接続できない。
【発明の効果】
【００２２】
本発明によれば、機器側接続鍵部と機器側接続規制部を備えた機器側接続端子は、機器側接続鍵部と装置側接続鍵部の形状が合致した装置側接続端子には接続可能で、標準の規格に準拠した装置側接続端子には、機器側接続規制部により接続が規制される。これにより、接続可能な機器側接続端子と装置側接続端子を制限でき、データの漏洩やウイルスの侵入を防止することができる。
【００２３】
また、機器側接続端子と装置側接続端子が正規の組み合わせであれば、施錠及び施錠の解除が不要で、利便性を向上させることができる。
【図面の簡単な説明】
【００２４】
【図１】第１の実施の形態の接続端子の一例を示す構成図である。
【図２】第１の実施の形態の接続端子の使用例を示す動作説明図である。
【図３】本発明の接続端子を備えた本実施の形態の電子機器の一例を示す構成図である。
【図４】本実施の形態の電子機器の接続形態の一例を示す構成図である。
【図５】本実施の形態の変換接続端子の一例を示す構成図である。
【図６】第２の実施の形態の接続端子の一例を示す構成図である。
【図７】第１の実施の形態の接続端子の使用例を示す動作説明図である。
【図８】第３の実施の形態の接続端子の一例を示す構成図である。
【図９】第１の実施の形態の接続端子の使用例を示す動作説明図である。
【図１０】第４の実施の形態の接続端子の一例を示す構成図である。
【図１１】第１の実施の形態の接続端子の使用例を示す動作説明図である。
【図１２】従来の接続端子の一例を示す構成図である。
【図１３】従来の接続端子の使用例を示す動作説明図である。
【発明を実施するための形態】
【００２５】
以下、図面を参照して、本発明の接続端子、及び本発明の接続端子を備えた電子機器の実施の形態について説明する。
【００２６】
＜第１の実施の形態の接続端子の構成例＞
図１は、第１の実施の形態の接続端子の一例を示す構成図、図２は、第１の実施の形態の接続端子の使用例を示す動作説明図である。また、図３は、本発明の接続端子を備えた本実施の形態の電子機器の一例を示す構成図である。
【００２７】
第１の実施の形態の接続端子１Ａは、図１（ａ）に示すソケット２Ａと、図１（ｂ）に示すプラグ３Ａを備える。ソケット２Ａは、雌型コネクタ等と称される装置側接続端子の一例で、例えば、パーソナルコンピュータ等の情報処理装置に備えられる。プラグ３Ａは、雄型コネクタ等と称される機器側接続端子の一例で、情報処理装置に対して着脱可能な電子機器１１Ａ、例えば、図３に示すＵＳＢメモリ等と称される記憶媒体に備えられる。
【００２８】
ソケット２Ａは、断面の形が略長方形で角筒形状の枠部２０Ａと、枠部２０Ａの内側に設けられるソケット側電極支持部材２１Ａと、図１（ｂ）に示す特定のプラグ３Ａの接続を可能とすると共に、図１２（ｂ）に示す標準の規格に準拠したプラグ１０３の挿入を規制するソケット側接続鍵部材２２Ａを備える。
【００２９】
枠部２０Ａは金属材料で構成され、長片側の対向する２面と短辺側の対向する２面に、プラグ３Ａを支持するバネ２３Ａが、弾性変形可能な構成で内側に向けて突出形成される。ソケット側電極支持部材２１Ａは、プラスチック等の非導電性の樹脂材料で構成され、一の面に所定の規格、本例ではＵＳＢ規格に準拠した端子２４Ａが形成される。
【００３０】
ソケット２Ａは、端子２４Ａが形成されるソケット側電極支持部材２１Ａの一の面と枠部２０Ａの間にソケット側電極挿入空間２５Ａが形成される。また、ソケット２Ａは、ソケット側電極支持部材２１Ａの他の面と枠部２０Ａの間にソケット側鍵部挿入空間２６Ａが形成され、ソケット側鍵部挿入空間２６Ａにソケット側接続鍵部材２２Ａを備える。
【００３１】
ソケット側接続鍵部材２２Ａは装置側接続鍵部の一例で、ソケット側電極支持部材２１Ａの他の面と対向する部位に凹部と凸部を組み合わせた所定の凹凸形状を有して突出する凸部を、枠部２０Ａの内側の面に設けて構成される。
【００３２】
ソケット側接続鍵部材２２Ａは、本例では、枠部２０Ａの内側の面に所定の凹凸形状を有した部材を取り付けて構成される。なお、ソケット側接続鍵部材２２Ａは、枠部２０Ａの一部を内側に突出させることで、所定の凹凸形状を一体に構成しても良い。
【００３３】
プラグ３Ａは、角筒形状の枠部３０Ａと、枠部３０Ａの内側に設けられるプラグ側電極支持部材３１Ａと、図１（ａ）に示すソケット側接続鍵部材２２Ａを有した特定のソケット２Ａへの接続を可能とするプラグ側接続鍵部３２Ａと、図１２（ａ）に示す標準の規格に準拠したソケット１０２への接続を規制するプラグ側接続規制部３３Ａを備える。
【００３４】
枠部３０Ａは金属材料で構成される。プラグ側電極支持部材３１Ａは、プラスチック等の非導電性の樹脂材料で構成され、一の面に本例ではＵＳＢ規格に準拠した端子３４Ａが形成される。
【００３５】
プラグ３Ａは、端子３４Ａが形成されるプラグ側電極支持部材３１Ａの一の面と枠部３０Ａの間にプラグ側電極挿入空間３５Ａが形成され、プラグ側電極挿入空間３５Ａが形成される側の枠部３０Ａの外側にプラグ側接続鍵部３２Ａを備えると共に、プラグ側電極挿入空間３５Ａにプラグ側接続規制部３３Ａを備える。
【００３６】
プラグ側接続鍵部３２Ａは機器側接続鍵部の一例で、接続可能とするソケット２Ａのソケット側接続鍵部材２２Ａと合致する凹部と凸部を組み合わせた凹凸形状を有した凹部を、枠部３０Ａの外側の面に設けて構成される。
【００３７】
プラグ側接続規制部３３Ａは機器側接続規制部の一例で、枠部３０Ａの内側の面からプラグ側電極挿入空間３５Ａに突出する凸部を設けて構成される。プラグ３Ａは、枠部３０Ａの一部を内側に突出させる形状とすることで、枠部３０Ａの外側に形成される凹状の部位でプラグ側接続鍵部３２Ａが形成され、内側に形成される凸状の部位でプラグ側接続規制部３３Ａが形成される。これにより、プラグ側接続鍵部３２Ａとプラグ側接続規制部３３Ａは、同一の部材の表裏で一体に構成される。
【００３８】
＜第１の実施の形態の接続端子の使用例＞
図４は、本実施の形態の電子機器の接続形態の一例を示す構成図で、次に、各図を参照して第１の実施の形態の接続端子１Ａの使用例について説明する。例えば、図４に示す情報処理装置１２Ａ１〜１２Ａｎは、会社所有のコンピュータで、情報処理装置１２Ａ１〜１２Ａｎには、図１で説明したソケット側接続鍵部材２２Ａを備えた第１の実施の形態のソケット２Ａが備えられる。一方、情報処理装置１２Ｂは、個人所有のコンピュータで、情報処理装置１２Ｂには、図１２（ａ）で説明した標準のＵＳＢ規格に準拠したソケット１０２が備えられる。
【００３９】
図４に示す電子機器１１Ａは、会社所有のＵＳＢメモリで、電子機器１１Ａには、図１で説明したプラグ側接続鍵部３２Ａとプラグ側接続規制部３３Ａを備えた第１の実施の形態のプラグ３Ａが備えられる。一方、電子機器１１Ｂは、個人所有のＵＳＢメモリで、電子機器１１Ｂには、図１２（ｂ）で説明した標準のＵＳＢ規格に準拠したプラグ１０３が備えられる。
【００４０】
プラグ３Ａは、プラグ側接続鍵部３２Ａとソケット側接続鍵部材２２Ａの形状が合致しているソケット２Ａにのみ挿入が可能である。すなわち、ソケット２Ａにプラグ３Ａが挿入されると、図２に示すように、プラグ３Ａのプラグ側接続鍵部３２Ａがソケット２Ａのソケット側鍵部挿入空間２６Ａに挿入されることで、プラグ３Ａのプラグ側電極支持部材３１Ａがソケット２Ａのソケット側電極挿入空間２５Ａに挿入され、ソケット２Ａのソケット側電極支持部材２１Ａがプラグ３Ａのプラグ側電極挿入空間３５Ａに挿入される。そして、プラグ側電極支持部材３１Ａの端子３４Ａとソケット側電極支持部材２１Ａの端子２４Ａが接触して、プラグ３Ａとソケット２Ａが電気的に接続される。
【００４１】
これにより、電子機器１１Ａは、プラグ３Ａのプラグ側接続鍵部３２と形状が合致したソケット側接続鍵部材２２Ａを有するソケット２Ａを備えた情報処理装置１２Ａ１〜１２Ａｎには接続可能で、電子機器１１ＡがＵＳＢメモリであれば、データの読み取りや書き込みが可能な状態となる。
【００４２】
これに対し、ソケット２Ａに図１２（ｂ）に示す標準の規格に準拠したプラグ１０３を挿入しようとすると、プラグ１０３の枠部１３０がソケット２Ａのソケット側接続鍵部材２２Ａに突き当たり、ソケット２Ａにプラグ１０３は挿入できない。これにより、標準の規格に準拠したプラグ１０３を備えた電子機器１１Ｂは、ソケット側接続鍵部材２２Ａを有したソケット２Ａを備えた情報処理装置１２Ａ１〜１２Ａｎに接続できず、情報処理装置１２Ａ１〜１２Ａｎに保存されたデータを、個人所有等の汎用のＵＳＢメモリに保存することはできない。
【００４３】
また、プラグ３Ａを図１２（ａ）に示す標準の規格に準拠したソケット１０２に挿入しようとすると、プラグ３Ａのプラグ側接続規制部３３Ａがソケット１０２のソケット側電極支持部材１２１に突き当たり、プラグ３Ａをソケット１０２に挿入できない。これにより、プラグ側接続規制部３３Ａを有したプラグ３Ａを備えた電子機器１１Ａは、標準の規格に準拠したソケット１０２を備えた個人所有等の情報処理装置１２Ｂに接続できず、ＵＳＢメモリに保存されたデータを、個人所有のコンピュータで読み出すことはできない。
【００４４】
これにより、会社所有等の特定のＵＳＢメモリを、個人所有のコンピュータに接続できなくすることができ、情報漏えいやウイルス感染のリスクを低下させることができる。また、個人所有のＵＳＢメモリを、会社所有等の特定のコンピュータに接続できなくすることができ、情報漏えいやウイルス感染のリスクを低下させることができる。更に、正規のソケット２Ａとプラグ３Ａの組み合わせであれば、施錠及び施錠の解除が不要で、利用者の操作及び管理者の管理の負担が軽減される。
【００４５】
ここで、ソケット側接続鍵部材２２Ａを有するソケット２Ａを備えた情報処理装置１２Ａ１〜１２Ａｎであっても、プラグ側接続鍵部３２Ａとソケット側接続鍵部材２２Ａの形状が合致しなければ、プラグ３Ａをソケット２Ａに挿入して接続することはできない。
【００４６】
例えば、情報処理装置１２Ａ１には、プラグ３Ａのプラグ側接続鍵部３２Ａと形状が合致したソケット側接続鍵部材２２Ａを有するソケット２Ａを備えることとすれば、電子機器１１Ａは特定の情報処理装置１２Ａ１には接続可能である。一方、他の情報処理装置１２Ａｎは、ソケット側接続鍵部材２２Ａの凹凸形状を特定の電子機器１１Ａのプラグ３Ａのプラグ側接続鍵部３２Ａと異ならせれば、ソケット２Ａにプラグ３Ａを挿入する動作で、プラグ側接続鍵部３２Ａがソケット側接続鍵部材２２Ａに突き当たり、電子機器１１Ａを他の情報処理装置１２Ａｎには接続できない。
【００４７】
これにより、電子機器１１Ａを、特定の情報処理装置１２Ａ１にのみ接続可能とすることができ、接続可能とする情報処理装置と電子機器の組み合せを制限できる。例えば、一対の電子機器と情報処理装置毎に、固有の凹凸形状のプラグ側接続鍵部３２Ａとソケット側接続鍵部材２２Ａを備えれば、情報処理装置１台毎に接続可能な電子機器を１つに制限できる。
【００４８】
また、複数の電子機器と１台の情報処理装置毎に、固有の凹凸形状のプラグ側接続鍵部３２Ａとソケット側接続鍵部材２２Ａを備えれば、情報処理装置１台に特定の複数の電子機器を接続可能にできる。更に、１つの電子機器と複数台の情報処理装置毎に、固有の凹凸形状のプラグ側接続鍵部３２Ａとソケット側接続鍵部材２２Ａを備えれば、１つの電子機器を特定の複数台の情報処理装置に接続可能にできる。
【００４９】
このように、個人単位や会社の部門単位等で、接続可能とする情報処理装置と電子機器の組み合せを制限でき、使用状況に応じた様々なセキュリティ対策を行うことができる。例えば、社内で共通の凹凸形状のプラグ側接続鍵部３２Ａとソケット側接続鍵部材２２Ａを備えたソケット２Ａとプラグ３Ａを用いれば、社内でのデータのやり取りは自由に行え、管理者の負担を軽減できる。また、社内利用において、組織毎に固有の凹凸形状のプラグ側接続鍵部３２Ａとソケット側接続鍵部材２２Ａを備えれば、組織毎にセキュリティを区分することができる。更に、データの暗号化、論理的なＵＳＢメモリの認証等と組み合わせれば、よりセキュリティ対策を確実に行うことができる。
【００５０】
以上の例では、電子機器１１Ａとして、コネクタ部分が機器本体に構成されているＵＳＢメモリを例に説明したが、コネクタ部分が機器本体とケーブルで接続された外部記憶デバイスでも良く、例えば、ＨＤＤ等の外部記憶デバイスでも良い。
【００５１】
第１の実施の形態のプラグ３Ａでは、プラグ側接続鍵部３２Ａとプラグ側接続規制部３３Ａが、枠部３０Ａの一部を凹凸形状とすることで一体に形成されるので、プラグ側接続鍵部３２Ａとプラグ側接続規制部３３Ａを取り外す等の改ざんができず、汎用のソケット１０２に挿入可能とすることを防止できる。また、プラグ側接続鍵部３２Ａとプラグ側接続規制部３３Ａが同一の部材で構成されるので、複数の機能を単一の部材で実現でき、構成を簡略化できる。
【００５２】
更に、プラグ側接続鍵部３２Ａとプラグ側接続規制部３３Ａが枠部２０Ａの内側に突出する構成であるので、プラグ３Ａを接続可能とするソケット２Ａは、枠部２０Ａの内側に突出する形態で、ソケット側接続鍵部材２２Ａが設けられる。これにより、標準の規格に準拠したソケットが取り付けられる構成の情報処理装置に、筐体等の構成を変えることなく、ソケット１０２Ａを取り付けることができる。
【００５３】
なお、ソケット２Ａのソケット側接続鍵部材２２Ａを、特定の工具を使用することで取り外し可能とする等により、枠部２０Ａに対して容易に取り外せないように着脱可能な構成とすれば、ソケット側接続鍵部材２２Ａを取り外すことで、標準の規格に準拠したプラグ１０３をソケット２Ａに接続可能となり、汎用性を向上させることができる。但し、故意にソケット側接続鍵部材２２Ａを取り外して汎用のＵＳＢメモリを接続することができるので、ソケット側接続鍵部材２２Ａは、外部より操作できない枠部２０Ａの外側からネジで止める、あるいは、枠部２０Ａと一体に形成する等、枠部２０Ａに着脱不可能な構成とすると良い。
【００５４】
＜本実施の形態の変換接続端子の構成例＞
図５は、本実施の形態の変換接続端子の一例を示す構成図である。図１等で説明したプラグ側接続鍵部３２Ａとプラグ側接続規制部３３Ａを有したプラグ３Ａを、図１２で説明した標準の規格に準拠したソケット１０２に接続可能とするには、図１（ａ）で説明したソケット側接続鍵部材２２Ａを有したソケット２Ａと、図１２（ｂ）で説明した標準の規格に準拠したプラグ１０３を備えた、端子同士が電気的に接続された変換接続端子１３Ａを用いればよい。変換接続端子１３Ａを貸与すれば、図４で説明した特定の電子機器１１Ａを、変換接続端子１３Ａを介して個人所有等の汎用の情報処理装置１２Ｂに接続可能となる。
【００５５】
なお、図１（ｂ）で説明したプラグ側接続鍵部３２Ａとプラグ側接続規制部３３Ａを有したプラグ３Ａと、図１２（ａ）で説明した標準の規格に準拠したソケット１０２を備えた図示しない変換接続端子を用いれば、図４で説明した特定の情報処理装置１２Ａに、変換接続端子を介して個人所有等の汎用の電子機器１１Ｂを接続可能となる。このように、変換接続端子の管理を行うことで、セキュリティ性を確保しつつ、汎用性を向上させることができる。例えば、変換接続端子をデータの持ち出し許可者が管理することにより、社外へのデータの持ち出しの制限、管理が容易になる。ここで、変換接続端子は、プラグ側とソケット側を一体に構成したが、ケーブルで接続される形態でも良い。
【００５６】
＜第２の実施の形態の接続端子の構成例＞
図６は、第２の実施の形態の接続端子の一例を示す構成図、図７は、第２の実施の形態の接続端子の使用例を示す動作説明図である。
【００５７】
第２の実施の形態の接続端子１Ｂは、図６（ａ）に示すソケット２Ｂと、図６（ｂ）に示すプラグ３Ｂを備える。ソケット２Ｂは、雌型と称される装置側接続端子の一例で、例えば、図４に示す特定の情報処理装置１２Ａに備えられる。プラグ３Ｂは、雄型と称される機器側接続端子の一例で、情報処理装置１２Ａに対して着脱可能とする特定の電子機器１１Ａに備えられる。
【００５８】
ソケット２Ｂは、断面の形が略長方形で角筒形状の枠部２０Ｂと、枠部２０Ｂの内側に設けられるソケット側電極支持部材２１Ｂと、図６（ｂ）に示す特定のプラグ３Ｂの接続を可能とするソケット側接続鍵部２２Ｂを備える。
【００５９】
枠部２０Ｂは金属材料で構成され、長片側の対向する２面と短辺側の対向する２面に、プラグ３Ｂを支持するバネ２３Ｂが、弾性変形可能な構成で内側に向けて突出形成される。ソケット側電極支持部材２１Ｂは、プラスチック等の非導電性の樹脂材料で構成され、一の面に本例ではＵＳＢ規格に準拠した端子２４Ｂが形成される。
【００６０】
ソケット２Ｂは、端子２４Ｂが形成されるソケット側電極支持部材２１Ｂの一の面と枠部２０Ｂの間にソケット側電極挿入空間２５Ｂが形成される。また、ソケット２Ｂは、ソケット側電極支持部材２１Ｂの他の面と枠部２０Ｂの間にソケット側鍵部挿入空間２６Ｂが形成され、ソケット側鍵部挿入空間２６Ｂにソケット側接続鍵部２２Ｂを備える。
【００６１】
ソケット側接続鍵部２２Ｂは装置側接続鍵部の一例で、ソケット側電極支持部材２１Ｂの他の面に、凹部と凸部を組み合わせた所定の凹凸形状を設けて構成される。
【００６２】
プラグ３Ｂは、角筒形状の枠部３０Ｂと、枠部３０Ｂの内側に設けられるプラグ側電極支持部材３１Ｂと、図６（ａ）に示すソケット側接続鍵部２２Ｂを有した特定のソケット２Ｂへの接続を可能とするプラグ側接続鍵部３２Ｂと、図１２（ａ）に示す標準の規格に準拠したソケット１０２への接続を規制するプラグ側接続規制部３３Ｂを備える。
【００６３】
枠部３０Ｂは金属材料で構成される。プラグ側電極支持部材３１Ｂは、プラスチック等の非導電性の樹脂材料で構成され、一の面に本例ではＵＳＢ規格に準拠した端子３４Ｂが形成される。
【００６４】
プラグ３Ｂは、端子３４Ｂが形成されるプラグ側電極支持部材３１Ｂの一の面と枠部３０Ｂの間にプラグ側電極挿入空間３５Ｂが形成され、プラグ側電極挿入空間３５Ｂにプラグ側接続鍵部３２Ｂとプラグ側接続規制部３３Ｂを備える。
【００６５】
プラグ側接続鍵部３２Ｂは機器側接続鍵部の一例で、接続可能とするソケット２Ｂのソケット側接続鍵部２２Ｂと合致する凹部と凸部を組み合わせた凹凸形状を有してプラグ側電極挿入空間３５Ｂに突出する凸部を、枠部３０Ｂの内側の面に設けて構成される。プラグ側接続規制部３３Ｂは機器側接続規制部の一例で、枠部３０Ｂの内側の面からプラグ側電極挿入空間３５Ｂに突出するプラグ側接続鍵部３２Ｂで構成される。
【００６６】
＜第２の実施の形態の接続端子の使用例＞
次に、各図を参照して第２の実施の形態の接続端子１Ｂの使用例について説明する。例えば、図４に示す情報処理装置１２Ａにソケット２Ｂが備えられ、電子機器１１Ａにプラグ３Ｂが備えられている構成では、ソケット２Ｂのソケット側接続鍵部２２Ｂとプラグ３Ａのプラグ側接続鍵部３２Ｂの形状が合致していることで、プラグ３Ｂは、プラグ側接続鍵部３２Ｂがソケット２Ｂのソケット側鍵部挿入空間２６Ｂに挿入可能である。
【００６７】
これにより、ソケット２Ｂにプラグ３Ｂが挿入されると、図７に示すように、プラグ３Ｂのプラグ側接続鍵部３２Ｂがソケット２Ｂのソケット側鍵部挿入空間２６Ｂに挿入されることで、プラグ３Ｂのプラグ側電極支持部材３１Ｂがソケット２Ｂのソケット側電極挿入空間２５Ｂに挿入され、ソケット２Ｂのソケット側電極支持部材２１Ｂがプラグ３Ｂのプラグ側電極挿入空間３５Ｂに挿入される。
【００６８】
そして、プラグ側電極支持部材３１Ｂの端子３４Ｂとソケット側電極支持部材２１Ｂの端子２４Ｂが接触して、プラグ３Ｂとソケット２Ｂが電気的に接続される。よって、電子機器１１ＡがＵＳＢメモリであれば、データの読み取りや書き込みが可能な状態となる。
【００６９】
これに対し、プラグ３Ｂを図１２（ａ）に示す標準の規格に準拠したソケット１０２に挿入しようとすると、プラグ３Ｂのプラグ側接続鍵部３２Ｂで構成されるプラグ側接続規制部３３Ｂがソケット１０２のソケット側電極支持部材１２１に突き当たり、プラグ３Ｂをソケットに挿入できない。これにより、プラグ３Ｂを備えたＵＳＢメモリは、標準の規格に準拠したソケット１０２を備えた情報処理装置１２Ｂに接続できず、ＵＳＢメモリに保存されたデータを、個人所有等のコンピュータで読み出すことはできない。
【００７０】
一方、ソケット２Ｂに図１２（ｂ）に示す標準の規格に準拠したプラグ１０３を挿入しようとすると、ソケット側鍵部挿入空間２６Ｂにはプラグ１０３の枠部１３０が挿入可能であり、ソケット２Ｂにプラグ１０３を挿入できる。これにより、第２の実施の形態の接続端子１Ｂでは、第１の実施の形態の接続端子１Ａと同様の効果を得られると共に、標準の規格に準拠したプラグ１０３を備えたＵＳＢメモリもソケット２Ｂを備えた情報処理装置１２Ａに接続でき、汎用性を高めることができる。
【００７１】
＜第３の実施の形態の接続端子の構成例＞
図８は、第３の実施の形態の接続端子の一例を示す構成図、図９は、第３の実施の形態の接続端子の使用例を示す動作説明図である。
【００７２】
第３の実施の形態の接続端子１Ｃは、図８（ａ）に示すソケット２Ｃと、図８（ｂ）に示すプラグ３Ｃを備える。ソケット２Ｃは、雌型と称される装置側接続端子の一例で、例えば、図４に示す特定の情報処理装置１２Ａに備えられる。プラグ３Ｃは、雄型と称される機器側接続端子の一例で、情報処理装置１２Ａに対して着脱可能とする特定の電子機器１１Ａに備えられる。
【００７３】
ソケット２Ｃは、断面の形が略長方形で角筒形状の枠部２０Ｃと、枠部２０Ｃの内側に設けられるソケット側電極支持部材２１Ｃと、図８（ｂ）に示す特定のプラグ３Ｃの接続を可能とすると共に、図１２（ｂ）に示す標準の規格に準拠したプラグ１０３の挿入を規制する第１のソケット側接続鍵部材２２Ｃ１及び第２のソケット側接続鍵部材２２Ｃ２を備える。
【００７４】
枠部２０Ｃは金属材料で構成され、長片側の対向する２面と短辺側の対向する２面に、プラグ３Ｃを支持するバネ２３Ｃが、弾性変形可能な構成で内側に向けて突出形成される。ソケット側電極支持部材２１Ｃは、プラスチック等の非導電性の樹脂材料で構成され、一の面に本例ではＵＳＢ規格に準拠した端子２４Ｃが形成される。
【００７５】
ソケット２Ｃは、端子２４Ｃが形成されるソケット側電極支持部材２１Ｃの一の面と枠部２０Ｃの間にソケット側電極挿入空間２５Ｃが形成され、ソケット側電極挿入空間２５Ｃに第２のソケット側接続鍵部材２２Ｃ２を備える。また、ソケット２Ｃは、ソケット側電極支持部材２１Ｃの他の面と枠部２０Ｃの間にソケット側鍵部挿入空間２６Ｃが形成され、ソケット側鍵部挿入空間２６Ｃに第１のソケット側接続鍵部材２２Ｃ１を備える。
【００７６】
第１のソケット側接続鍵部材２２Ｃ１は装置側接続鍵部の一例で、ソケット側電極支持部材２１Ｃの他の面と対向する部位に凹部と凸部を組み合わせた所定の凹凸形状を有して突出する凸部を、枠部２０Ｃの内側の面に設けて構成される。
【００７７】
第２のソケット側接続鍵部材２２Ｃ２は装置側接続鍵部の一例で、ソケット側電極支持部材２１Ｃの一の面と対向する部位に凹部と凸部を組み合わせた所定の凹凸形状を有して突出する凸部を、枠部２０Ｃの内側の面に設けて構成される。
【００７８】
第１のソケット側接続鍵部材２２Ｃ１と第２のソケット側接続鍵部材２２Ｃ２は、本例では、枠部２０Ｃの内側の面に所定の凹凸形状を有した部材を取り付けて構成される。なお、第１のソケット側接続鍵部材２２Ｃ１と第２のソケット側接続鍵部材２２Ｃ２は、枠部２０Ｃの一部を内側に突出させることで、所定の凹凸形状を一体に構成しても良い。
【００７９】
プラグ３Ｃは、角筒形状の枠部３０Ｃと、枠部３０Ｃの内側に設けられるプラグ側電極支持部材３１Ｃと、図８（ａ）に示す第１のソケット側接続鍵部材２２Ｃ１と第２のソケット側接続鍵部材２２Ｃ２を有した特定のソケット２Ｃへの接続を可能とする第１のプラグ側接続鍵部３２Ｃ１及び第２のプラグ側接続鍵部３２Ｃ２と、図１２（ａ）に示す標準の規格に準拠したソケット１０２への接続を規制するプラグ側接続規制部３３Ｃを備える。
【００８０】
枠部３０Ｃは金属材料で構成される。プラグ側電極支持部材３１Ｃは、プラスチック等の非導電性の樹脂材料で構成され、一の面に本例ではＵＳＢ規格に準拠した端子３４Ｃが形成される。
【００８１】
プラグ３Ｃは、端子３４Ｃが形成されるプラグ側電極支持部材３１Ｃの一の面と枠部３０Ｃの間にプラグ側電極挿入空間３５Ｃが形成され、プラグ側電極挿入空間３５Ｃが形成される側の枠部３０Ｃの外側に第１のプラグ側接続鍵部３２Ｃ１を備えると共に、プラグ側電極挿入空間３５Ｃに第１のプラグ側接続規制部３３Ｃ１を備える。また、プラグ側電極支持部材３１Ｃが形成される側の枠部３０Ｃの外側に第２のプラグ側接続鍵部３２Ｃ２を備える。
【００８２】
第１のプラグ側接続鍵部３２Ｃ１は機器側接続鍵部の一例で、接続可能とするソケット２Ｃの第１のソケット側接続鍵部材２２Ｃ１と合致する凹部と凸部を組み合わせた凹凸形状を有した凹部を、枠部３０Ｃの外側の面に設けて構成される。
【００８３】
第２のプラグ側接続鍵部３２Ｃ２は機器側接続鍵部の一例で、接続可能とするソケット２Ｃの第２のソケット側接続鍵部材２２Ｃ２と合致する凹部と凸部を組み合わせた凹凸形状を有した凹部を、枠部３０Ｃの外側の面に設けて構成される。
【００８４】
プラグ側接続規制部３３Ｃは機器側接続規制部の一例で、枠部３０Ｃの内側の面からプラグ側電極挿入空間３５Ｃに突出する凸部を設けて構成される。プラグ３Ｃは、枠部３０Ｃの一部を内側に突出させる形状とすることで、枠部３０Ｃの外側に形成される凹状の部位で第１のプラグ側接続鍵部３２Ｃ１が形成され、内側に形成される凸状の部位でプラグ側接続規制部３３Ｃが形成される。
【００８５】
＜第３の実施の形態の接続端子の使用例＞
次に、各図を参照して第３の実施の形態の接続端子１Ｃの使用例について説明する。例えば、図４に示す特定の情報処理装置１２Ａにソケット２Ｃが備えられ、電子機器１１Ａにプラグ３Ｃが備えられている構成では、ソケット２Ｃの第１のソケット側接続鍵部材２２Ｃ１とプラグ３Ｃの第１のプラグ側接続鍵部３２Ｃ１の形状が合致し、ソケット２Ｃの第２のソケット側接続鍵部材２２Ｃ２とプラグ３Ｃの第２のプラグ側接続鍵部３２Ｃ２の形状が合致していることで、プラグ３Ｃは、枠部３０Ｃの第１のプラグ側接続鍵部３２Ｃ１がソケット２Ｃのソケット側鍵部挿入空間２６Ｃに挿入可能である。
【００８６】
これにより、ソケット２Ｃにプラグ３Ｃが挿入されると、図９に示すように、プラグ３Ｃの第１のプラグ側接続鍵部３２Ｃ１がソケット２Ｃのソケット側鍵部挿入空間２６Ｃに挿入され、プラグ３Ｃの第２のプラグ側接続鍵部３２Ｃ２がソケット２Ｃのソケット側電極挿入空間２５Ｃに挿入されることで、プラグ３Ｃのプラグ側電極支持部材３１Ｃがソケット２Ｃのソケット側電極挿入空間２５Ｃに挿入され、ソケット２Ｃのソケット側電極支持部材２１Ｃがプラグ３Ｃのプラグ側電極挿入空間３５Ｃに挿入される。
【００８７】
そして、プラグ側電極支持部材３１Ｃの端子３４Ｃとソケット側電極支持部材２１Ｃの端子２４Ｃが接触して、プラグ３Ｃとソケット２Ｃが電気的に接続される。よって、電子機器１１ＡがＵＳＢメモリであれば、データの読み取りや書き込みが可能な状態となる。
【００８８】
これに対し、ソケット２Ｃに図１２（ｂ）に示す標準の規格に準拠したプラグ１０３を挿入しようとすると、プラグ１０３の枠部１３０がソケット２Ｃの第１のソケット側接続鍵部材２２Ｃ１と第２のソケット側接続鍵部材２２Ｃ２に突き当たり、ソケット２Ｃにプラグは挿入できない。これにより、標準の規格に準拠したプラグ１０３を備えたＵＳＢメモリは、ソケット２Ｃを備えた特定の情報処理装置１２Ａに接続できず、情報処理装置１２Ａに保存されたデータを、個人所有等の汎用のＵＳＢメモリに保存することはできない。
【００８９】
また、プラグ３Ｃを図１２（ａ）に示す標準の規格に準拠したソケット１０２に挿入しようとすると、プラグ３Ｃの第１のプラグ側接続規制部３３Ｃ１がソケット１０２のソケット側電極支持部材１２１に突き当たり、プラグ３Ｃをソケット１０２に挿入できない。これにより、プラグ３Ｃを備えた電子機器１１Ａは、標準の規格に準拠したソケット１０２を備えた情報処理装置１２Ｂに接続できず、特定のＵＳＢメモリに保存されたデータを、個人所有等の汎用のコンピュータで読み出すことはできない。よって、第３の実施の形態の接続端子１Ｃでは、第１の実施の形態の接続端子１Ａと同様の効果を得られる。
【００９０】
＜第４の実施の形態の接続端子の構成例＞
図１０は、第４の実施の形態の接続端子の一例を示す構成図、図１１は、第４の実施の形態の接続端子の使用例を示す動作説明図である。
【００９１】
第４の実施の形態の接続端子１Ｄは、図１０（ａ）に示すソケット２Ｄと、図１０（ｂ）に示すプラグ３Ｄを備える。ソケット２Ｄは、雌型と称される装置側接続端子の一例で、例えば、図４に示す特定の情報処理装置１２Ａに備えられる。プラグ３Ｄは、雄型と称される機器側接続端子の一例で、情報処理装置１２Ａに対して着脱可能とする特定の電子機器１１Ａに備えられる。
【００９２】
ソケット２Ｄは、断面の形が略長方形で角筒形状の枠部２０Ｄと、枠部２０Ｄの内側に設けられるソケット側電極支持部材２１Ｄと、図１０（ｂ）に示す特定のプラグ３Ｄの接続を可能とする第１のソケット側接続鍵部２２Ｄ１と、図１０（ｂ）に示す特定のプラグ３Ｄの接続を可能とすると共に、図１２（ｂ）に示す標準の規格に準拠したプラグ１０３の挿入を規制する第２のソケット側接続鍵部材２２Ｄ２を備える。
【００９３】
枠部２０Ｄは金属材料で構成され、長片側の対向する２面と短辺側の対向する２面に、プラグ３Ｄを支持するバネ２３Ｄが、弾性変形可能な構成で内側に向けて突出形成される。ソケット側電極支持部材２１Ｄは、プラスチック等の非導電性の樹脂材料で構成され、一の面に本例ではＵＳＢ規格に準拠した端子２４Ｄが形成される。
【００９４】
ソケット２Ｄは、端子２４Ｄが形成されるソケット側電極支持部材２１Ｄの一の面と枠部２０Ｄの間にソケット側電極挿入空間２５Ｄが形成され、ソケット側電極挿入空間２５Ｄに第２のソケット側接続鍵部材２２Ｄ２を備える。また、ソケット２Ｄは、ソケット側電極支持部材２１Ｄの他の面と枠部２０Ｄの間にソケット側鍵部挿入空間２６Ｄが形成され、ソケット側鍵部挿入空間２６Ｄに第１のソケット側接続鍵部２２Ｄ１を備える。
【００９５】
第１のソケット側接続鍵部２２Ｄ１は装置側接続鍵部の一例で、ソケット側電極支持部材２１Ｄの他の面に、凹部と凸部を組み合わせた所定の凹凸形状を設けて構成される。
【００９６】
第２のソケット側接続鍵部材２２Ｄ２は装置側接続鍵部の一例で、ソケット側電極支持部材２１Ｄの一の面と対向する部位に凹部と凸部を組み合わせた所定の凹凸形状を有して突出する凸部を、枠部２０Ｄの内側の面に設けて構成される。
【００９７】
プラグ３Ｄは、角筒形状の枠部３０Ｄと、枠部３０Ｄの内側に設けられるプラグ側電極支持部材３１Ｄと、図１０（ａ）に示す第１のソケット側接続鍵部２２Ｄ１と第２のソケット側接続鍵部材２２Ｄ２を有した特定のソケット２Ｄへの接続を可能とする第１のプラグ側接続鍵部３２Ｄ１及び第２のプラグ側接続鍵部３２Ｄ２と、図１２（ａ）に示す標準の規格に準拠したソケット１０２への接続を規制するプラグ側接続規制部３３Ｄを備える。
【００９８】
枠部３０Ｄは金属材料で構成される。プラグ側電極支持部材３１Ｄは、プラスチック等の非導電性の樹脂材料で構成され、一の面に本例ではＵＳＢ規格に準拠した端子３４Ｄが形成される。
【００９９】
プラグ３Ｄは、端子３４Ｄが形成されるプラグ側電極支持部材３１Ｄの一の面と枠部３０Ｄの間にプラグ側電極挿入空間３５Ｄが形成され、プラグ側電極挿入空間３５Ｄに第１のプラグ側接続鍵部３２Ｄ１とプラグ側接続規制部３３Ｄを備える。また、プラグ側電極支持部材３１Ｄが形成される側の枠部３０Ｄの外側に第２のプラグ側接続鍵部３２Ｄ２を備える。
【０１００】
第１のプラグ側接続鍵部３２Ｄ１は機器側接続鍵部の一例で、接続可能とするソケット２Ｄの第１のソケット側接続鍵部２２Ｄ１と合致する凹部と凸部を組み合わせた凹凸形状を有してプラグ側電極挿入空間３５Ｄに突出する凸部を、枠部３０Ｄの内側の面に設けて構成される。プラグ側接続規制部３３Ｄは機器側接続規制部の一例で、枠部３０Ｄの内側の面からプラグ側電極挿入空間３５Ｄに突出するプラグ側接続鍵部３２Ｄで構成される。
【０１０１】
第２のプラグ側接続鍵部３２Ｄ２は機器側接続鍵部の一例で、接続可能とするソケット２Ｄの第２のソケット側接続鍵部材２２Ｄ２と合致する凹部と凸部を組み合わせた凹凸形状を有した凹部を、枠部３０Ｄの外側の面に設けて構成される。
【０１０２】
＜第４の実施の形態の接続端子の使用例＞
次に、各図を参照して第４の実施の形態の接続端子１Ｄの使用例について説明する。例えば、図４に示す特定の情報処理装置１２Ａにソケット２Ｄが備えられ、電子機器１１Ａにプラグ３Ｄが備えられている構成では、ソケット２Ｄの第１のソケット側接続鍵部２２Ｄ１とプラグ３Ｄの第１のプラグ側接続鍵部３２Ｄ１の形状が合致し、ソケット２Ｄの第２のソケット側接続鍵部材２２Ｄ２とプラグ３Ｄの第２のプラグ側接続鍵部３２Ｄ２の形状が合致していることで、プラグ３Ｄは、枠部３０Ｄの第１のプラグ側接続鍵部３２Ｄ１がソケット２Ｄのソケット側鍵部挿入空間２６Ｄに挿入可能である。
【０１０３】
これにより、ソケット２Ｄにプラグ３Ｄが挿入されると、図１１に示すように、プラグ３Ｄの第１のプラグ側接続鍵部３２Ｄ１がソケット２Ｄのソケット側鍵部挿入空間２６Ｄに挿入され、プラグ３Ｄの第２のプラグ側接続鍵部３２Ｄ２がソケット２Ｄのソケット側電極挿入空間２５Ｄに挿入されることで、プラグ３Ｄのプラグ側電極支持部材３１Ｄがソケット２Ｄのソケット側電極挿入空間２５Ｄに挿入され、ソケット２Ｄのソケット側電極支持部材２１Ｄがプラグ３Ｄのプラグ側電極挿入空間３５Ｄに挿入される。
【０１０４】
そして、プラグ側電極支持部材３１Ｄの端子３４Ｄとソケット側電極支持部材２１Ｄの端子２４Ｄが接触して、プラグ３Ｄとソケット２Ｄが電気的に接続される。よって、電子機器１１ＡがＵＳＢメモリであれば、データの読み取りや書き込みが可能な状態となる。
【０１０５】
これに対し、ソケット２Ｄに図１２（ｂ）に示す標準の規格に準拠したプラグ１０３を挿入しようとすると、プラグ１０３の枠部１３０がソケット２Ｄの第２のソケット側接続鍵部材２２Ｄ２に突き当たり、ソケット２Ｄにプラグは挿入できない。これにより、標準の規格に準拠したプラグ１０３を備えたＵＳＢメモリは、ソケット２Ｄを備えた情報処理装置１２Ａに接続できず、特定の情報処理装置１２Ａに保存されたデータを、個人所有等の汎用のＵＳＢメモリに保存することはできない。
【０１０６】
また、プラグ３Ｄを図１２（ａ）に示す標準の規格に準拠したソケット１０２に挿入しようとすると、プラグ３Ｄの第１のプラグ側接続鍵部３２Ｄ１で構成されるプラグ側接続規制部３３Ｄがソケット１０２のソケット側電極支持部材１２１に突き当たり、プラグ３Ｄをソケット１０２に挿入できない。これにより、プラグ３Ｄを備えた電子機器１１Ａは、標準の規格に準拠したソケット１０２を備えた情報処理装置１２Ｂに接続できず、特定のＵＳＢメモリに保存されたデータを、個人所有等の汎用のコンピュータで読み出すことはできない。よって、第４の実施の形態の接続端子１Ｄでは、第１の実施の形態の接続端子１Ａと同様の効果を得られる。
【産業上の利用可能性】
【０１０７】
本発明は、コンピュータと周辺機器を着脱可能に接続する接続端子に適用される。
【符号の説明】
【０１０８】
１Ａ〜１Ｄ・・・接続端子、１１Ａ・・・電子機器、１２Ａ・・・情報処理装置、１３Ａ・・・変換接続端子、２Ａ〜２Ｄ・・・ソケット、２０Ａ〜２０Ｄ・・・枠部、２１Ａ〜２１Ｄ・・・ソケット側電極支持部材、２２Ａ・・・ソケット側接続鍵部材、２２Ｂ・・・ソケット側接続鍵部、２２Ｃ１，２２Ｄ１・・・第１のソケット側接続鍵部、２２Ｃ２，２２Ｄ２・・・第２のソケット側接続鍵部、２３Ａ〜２３Ｄ・・・バネ、２４Ａ〜２４Ｄ・・・端子、２５Ａ〜２５Ｄ・・・ソケット側電極挿入空間、２６Ａ〜２６Ｄ・・・ソケット側鍵部挿入空間、３Ａ〜３Ｄ・・・プラグ、３０Ａ〜３０Ｄ・・・枠部、３１Ａ〜３１Ｄ・・・プラグ側電極支持部材、３２Ａ，３２Ｂ・・・プラグ側接続鍵部、３２Ｃ１，３２Ｄ１・・・第１のプラグ側接続鍵部、３２Ｃ２，３２Ｄ２・・・第２のプラグ側接続鍵部、３３Ａ〜３３Ｄ・・・プラグ側接続規制部、３４Ａ〜３４Ｄ・・・端子、３５Ａ〜３５Ｄ・・・プラグ側電極挿入空間
【図１】
2011159587.tif 000003
【図２】
2011159587.tif 000004
【図３】
2011159587.tif 000005
【図４】
2011159587.tif 000006
【図５】
2011159587.tif 000007
【図６】
2011159587.tif 000008
【図７】
2011159587.tif 000009
【図８】
2011159587.tif 000010
【図９】
2011159587.tif 000011
【図１０】
2011159587.tif 000012
【図１１】
2011159587.tif 000013
【図１２】
2011159587.tif 000014
【図１３】
2011159587.tif 000015